(57)【要約】【課題】金属網を使用することによって通常光と特殊光との光量差を抑える構成ではコスト面、製造面での不都合が大きい。【解決手段】内視鏡用光源装置を、白色光を放射する光源と、白色光に含まれる異なる波長域の光を通過させることが可能な複数種類の光通過領域を持つ回転板と、回転板を回転させることにより複数種類の光通過領域の各々を白色光の光路に順次挿入する回転駆動部と、回転板を光路と直交する方向にシフトさせることが可能なシフト駆動部とを備えた構成とする。この場合に、複数種類の光通過領域の各々は、回転板の回転軸を中心とする互いに半径の異なる同心円上に異なる角度範囲で配置される。また、シフト駆動部は、回転板を光路と直交する方向にシフトさせることにより、複数種類の光通過領域の各々を通過する光の光量比を調節する。【選択図】図５
2014212808.tif 000002
【特許請求の範囲】
【請求項１】
白色光を放射する光源と、
前記白色光に含まれる異なる波長域の光を通過させることが可能な複数種類の光通過領域を持つ回転板と、
前記回転板を回転させることにより、前記複数種類の光通過領域の各々を前記白色光の光路に順次挿入する回転駆動部と、
前記回転板を前記光路と直交する方向にシフトさせることが可能なシフト駆動部と、
を備え、
前記複数種類の光通過領域の各々は、
前記回転板の回転軸を中心とする互いに半径の異なる同心円上に異なる角度範囲で配置されており、
前記シフト駆動部は、
前記回転板を前記光路と直交する方向にシフトさせることにより、前記複数種類の光通過領域の各々を通過する光の光量比を調節する、
内視鏡用光源装置。
【請求項２】
前記複数種類の光通過領域は、
通常観察用の白色光を通過させる第一の光通過領域と、
特殊光観察用の特殊光を通過させる第二の光通過領域と、
を含む、
請求項１に記載の内視鏡用光源装置。
【請求項３】
前記第一の光通過領域は、
前記白色光を通過させる円弧状のスリット部であり、
前記第二の光通過領域は、
前記特殊光を通過させる円弧状のフィルタ部である、
請求項１又は請求項２に記載の内視鏡用光源装置。
【請求項４】
前記シフト駆動部による前記回転板のシフト量を操作するための操作部
を備え、
前記シフト駆動部は、
前記操作部が受け付けた操作に従い、前記回転板を前記光路と直交する方向にシフトさせる、
請求項１から請求項３の何れか一項に記載の内視鏡用光源装置。
【請求項５】
前記回転駆動部は、
前記白色光が前記複数の光通過領域の各々に入射する期間が１フレーム又は１フィールドの撮像が行われる撮像期間と一致するように、前記回転板を一定速度で回転させる、請求項１から請求項４の何れか一項に記載の内視鏡用光源装置。
【発明の詳細な説明】
【技術分野】
【０００１】
本発明は、病変部等の被写体を照明する照明光の切り換えが可能な内視鏡用光源装置に関する。
【背景技術】
【０００２】
医療機器分野においては、特性の異なる波長域の照明光を使用した観察を同時に行うことで病変部の診断を容易にする電子内視鏡システムが知られている。この種の電子内視鏡システムの具体的構成は、例えば特許文献１に記載されている。
【０００３】
特許文献１には、通常観察と特殊光観察の同時観察を可能にした電子内視鏡装置が記載されている。具体的には、特許文献１に記載の電子内視鏡装置は、通常観察用の白色光（通常光）を減光して通過させる減光フィルタと、特定の波長域の光（特殊光）のみを通過させる特殊光用フィルタとが円周方向に交互に配置された回転板を備えている。特許文献１に記載の電子内視鏡装置は、撮像のタイミングと同期して回転する回転板にランプ光を通すことによって得た照明光を使用することにより、例えばフレーム毎に通常観察像と特殊光観察像とを交互に撮像し、撮像された通常観察像と特殊光観察像とを電気的に処理することにより、通常観察画像と特殊光観察画像とを一画面に表示させることができる。
【０００４】
特許文献１に記載の電子内視鏡装置において、露出調整は、応答の遅い絞りを使用して行われるため、通常光と特殊光との極めて短い周期の切り換えに追従することができない。観察像毎に露出を調整することができないため、通常光と特殊光との光量差が大きい場合には、観察画像に白飛びや黒潰れが生じる。そのため、特許文献１では、特殊光と通常光の光量が一致するように、減光フィルタを使用して通常光の光量を調整している。減光フィルタには金属網が使用されており、金属網のメッシュにより通過する通常光の光量が調整される。
【先行技術文献】
【特許文献】
【０００５】
【特許文献１】特開２０１１−２００３７７号公報
【発明の概要】
【発明が解決しようとする課題】
【０００６】
特殊光用フィルタを通過する特殊光の光量は、例えば使用するランプの種類によって異なる。そのため、金属網の透過光量を特殊光用フィルタの透過光量と完全に一致させようとすると、専用の金属網を多種類作製する必要があり、金属網の調達コストが膨大となる。現実的には、市販の標準仕様の金属網から最も適したものを選択して使用することになる。そのため、特殊光フィルタと金属網との透過光量の差が大きく、調光が不十分となり、白飛びや黒潰れが生じることがあった。また、変形し易い金属網を回転板に取り付ける作業には慎重を要するため、多くの工数が掛かっていた。
【課題を解決するための手段】
【０００７】
本発明の実施形態によれば、白色光を放射する光源と、白色光に含まれる異なる波長域の光を通過させることが可能な複数種類の光通過領域を持つ回転板と、回転板を回転させることにより複数種類の光通過領域の各々を白色光の光路に順次挿入する回転駆動部と、回転板を光路と直交する方向にシフトさせることが可能なシフト駆動部とを備えた内視鏡用光源装置が提供される。複数種類の光通過領域の各々は、回転板の回転軸を中心とする互いに半径の異なる同心円上に異なる角度範囲で配置されている。シフト駆動部は、回転板を光路と直交する方向にシフトさせることにより、複数種類の光通過領域の各々を通過する光の光量比を調節する。
【０００８】
本発明の実施形態によれば、金属網を使用することなく、各光通過領域を通過する光の光量比を調節することができる。光量比を調節することにより、波長域の異なる光（例えば白色光と特殊光）間での光量差が抑えられる。例えば適正露出を得るための絞り量が白色光使用時と特殊光使用時とで揃うように調節した場合は、特殊光を切り換えた直後に撮像した観察画像に白飛びや黒潰れが発生することを防ぐことができる。
【０００９】
複数種類の光通過領域は、例えば、通常観察用の白色光を通過させる第一の光通過領域と、特殊光観察用の特殊光を通過させる第二の光通過領域とを含む。
【００１０】
第一の光通過領域は、例えば、白色光を通過させる円弧状のスリット部である。第二の光通過領域は、例えば、特殊光を通過させる円弧状のフィルタ部である。
【００１１】
内視鏡用光源装置は、シフト駆動部による回転板のシフト量を操作するための操作部を備えた構成としてもよい。この場合、シフト駆動部は、操作部が受け付けた操作に従い、回転板を白色光の光路と直交する方向にシフトさせる。
【００１２】
回転駆動部は、白色光が複数の光通過領域の各々に入射する期間が１フレーム又は１フィールドの撮像が行われる撮像期間と一致するように、回転板を一定速度で回転させる構成としてもよい。
【発明の効果】
【００１３】
本発明の実施形態によれば、金属網を使用することなく、各光通過領域を通過する光の光量比を調節することが可能な内視鏡用光源装置が提供される。光量比を調節することにより、波長域の異なる光（例えば白色光と特殊光）間での光量差が抑えられる。例えば適正露出を得るための絞り量が白色光使用時と特殊光使用時とで揃うように調節した場合は、特殊光を切り換えた直後に撮像した観察画像に白飛びや黒潰れが発生することを防ぐことができる。
【図面の簡単な説明】
【００１４】
【図１】本発明の実施形態の電子内視鏡装置の概略構成を示すブロック図である。
【図２】本発明の実施形態の電子内視鏡用プロセッサに備えられる回転フィルタ部を集光レンズ側から見た正面図である。
【図３】図２中矢印Ａ方向から回転フィルタ部の付近を視たときの電子内視鏡用プロセッサの内部構成図である。
【図４】本発明の実施形態の電子内視鏡用プロセッサに備えられるスライドアクチュエータ部の概略構成を示す図である。
【図５】本発明の実施形態の回転フィルタ部が有する回転板に形成された各開口部を通過する照明光の光量と、ランプ（白色光束）に対する回転板の位置との関係を示す図である。
【発明を実施するための形態】
【００１５】
以下、図面を参照して本発明の実施形態に係る電子内視鏡装置について説明する。
【００１６】
図１は、本実施形態の電子内視鏡装置１の概略構成を示すブロック図である。図１に示されるように、電子内視鏡装置１は、電子内視鏡１００、電子内視鏡用プロセッサ２００及びモニタ３００を備えている。
【００１７】
電子内視鏡用プロセッサ２００は、システムコントローラ２０２及びタイミングコントローラ２０４を備えている。システムコントローラ２０２は、メモリ２０３に記憶された各種プログラムを実行し、電子内視鏡装置１全体を統合的に制御する。また、システムコントローラ２０２は、タッチパネル２１８に接続されている。システムコントローラ２０２は、タッチパネル２１８より入力されるユーザからの指示に応じて、電子内視鏡装置１の各動作及び各動作のためのパラメータを変更する。タイミングコントローラ２０４は、各部の動作のタイミングを調整するクロックパルスを電子内視鏡装置１内の各回路に出力する。
【００１８】
ランプ２０８は、ランプ電源イグナイタ２０６による始動後、白色光束Ｌを放射する。ランプ２０８には、キセノンランプ、ハロゲンランプ、水銀ランプ、メタルハライドランプ等の高輝度ランプが適している。ランプ２０８より放射された白色光束Ｌは、回転フィルタ部２６０に入光する。
【００１９】
回転フィルタ部２６０は、通常観察の撮像と特殊光観察の撮像とを交互に行うため、ランプ２０８より入光した白色光束Ｌから、スペクトルの異なる二種類の照明光（特殊光と、白色光である通常光）を、撮像のタイミングと同期して交互に取り出す（通過させる）。特殊光は、例えばヘモグロビンの吸収に適した波長域に透過ピークを持つ半値幅の狭い光である。回転フィルタ部２６０を通過した照明光は、集光レンズ２１０によって集光されながら羽根絞り（不図示）を介して適正な光量に制限されて、ＬＣＢ（Light Carrying Bundle）１０２の入射端に入射する。
【００２０】
入射端よりＬＣＢ１０２内に入射した照明光は、ＬＣＢ１０２内を伝播して電子内視鏡１００の先端に配置されたＬＣＢ１０２の射出端より射出され、配光レンズ１０４を介して被写体に照射される。被写体からの反射光は、対物レンズ１０６を介して固体撮像素子１０８の受光面上で光学像を結ぶ。
【００２１】
固体撮像素子１０８は、ＩＲ（InfraRed）カットフィルタ１０８ａ、ベイヤ配列カラーフィルタ１０８ｂの各種フィルタが受光面に配置された単板式カラーＣＣＤ（Charge Coupled Device）イメージセンサであり、受光面上で結像した光学像に応じたＲ（Red）、Ｇ（Green）、Ｂ（Blue）の各色の撮像信号を生成する。なお、固体撮像素子１０８は、ＣＣＤイメージセンサに限らず、ＣＭＯＳ（Complementary Metal Oxide Semiconductor）イメージセンサやその他の種類の撮像装置を採用してもよい。
【００２２】
回転フィルタ部２６０による通常光と特殊光との切り換えのタイミングは、撮像素子１０８における撮像期間（フィールド期間）の切り換えのタイミングと同期している。従って、撮像素子１０８は、ある露光期間に通常光を受光して通常観察像の撮像信号を生成して出力した後に、続く露光期間に特殊光を受光して特殊光観察像の撮像信号を生成して出力し、これを繰り返すことで各観察像の撮像信号を交互に出力する。
【００２３】
電子内視鏡１００の接続部内には、ドライバ信号処理回路１１２が備えられている。ドライバ信号処理回路１１２には、通常観察像、特殊光観察像の各撮像信号が固体撮像素子１０８から１フィールド周期で交互に入力される。ドライバ信号処理回路１１２は、固体撮像素子１０８より入力される撮像信号に対して色補間、マトリクス演算、Ｙ／Ｃ分離等の所定の信号処理を施して画像信号（輝度信号Ｙ、色差信号Ｃｂ、Ｃｒ）を生成し、生成された画像信号を電子内視鏡用プロセッサ２００の前段信号処理回路２２０に出力する。また、ドライバ信号処理回路１１２は、メモリ１１４にアクセスして電子内視鏡１００の固有情報を読み出す。メモリ１１４に記録される電子内視鏡１００の固有情報には、例えば固体撮像素子１０８の画素数や感度、対応可能なレート、型番等が含まれる。ドライバ信号処理回路１１２は、メモリ１１４より読み出された固有情報をシステムコントローラ２０２に出力する。
【００２４】
システムコントローラ２０２は、電子内視鏡１００の固有情報に基づいて各種演算を行い、制御信号を生成する。システムコントローラ２０２は、生成された制御信号を用いて、電子内視鏡用プロセッサ２００に接続中の電子スコープに適した処理がなされるように電子内視鏡用プロセッサ２００内の各種回路の動作やタイミングを制御する。
【００２５】
タイミングコントローラ２０４は、システムコントローラ２０２によるタイミング制御に従って、ドライバ信号処理回路１１２にクロックパルスを供給する。ドライバ信号処理回路１１２は、タイミングコントローラ２０４から供給されるクロックパルスに従って、固体撮像素子１０８を電子内視鏡用プロセッサ２００側で処理される映像のフィールドレートに同期したタイミングで駆動制御する。
【００２６】
前段信号処理回路２２０は、ドライバ信号処理回路１１２より１フィールド周期で交互に入力される通常観察像、特殊光観察像の各画像信号（輝度信号Ｙ並び色差信号Ｃｂ及びＣｒ）に対して所定の画像処理を施す。具体的には、前段信号処理回路２２０は、画像信号を増幅し、増幅された画像信号をマトリクス回路（不図示）に出力する。メモリ２２２には、撮像に使用される照明光のスペクトル特性に対応する色変換用のマトリクス係数（通常光用、特殊光用）が格納されている。マトリクス回路には、タイミングコントローラ２０４からのクロックパルスに基づいて（照明光の切り換えのタイミングに合わせて）、撮像に使用された照明光の種類（通常光又は特殊光）に対応するマトリクス係数がメモリ２２２から呼び出されて設定される。これにより、通常観察像、特殊光観察像の各画像信号が３原色信号Ｒ、Ｇ、Ｂに逐次変換される。変換された３原色信号は、夫々増幅されて適切な信号レベルに調整された後に、画像メモリ２３０へ色毎に格納される。
【００２７】
画像メモリ２３０には、通常観察像、特殊光観察像の各画像信号が１フィールド周期で交互に入力する。画像メモリ２３０は、通常観察画像用メモリ２３０Ａ及び特殊光観察画像用メモリ２３０Ｂを備えており、前段信号処理回路２２０より入力する通常観察像の画像信号を通常観察画像用メモリ２３０Ａへ格納し、前段信号処理回路２２０より入力する特殊光観察像の画像信号を特殊光観察画像用メモリ２３０Ｂへ格納する。画像メモリ２３０は、通常観察画像用メモリ２３０Ａへの画像信号の書込処理時は特殊光観察画像用メモリ２３０Ｂへの書込処理を停止し、特殊光観察画像用メモリ２３０Ｂへの画像信号の書込処理時は通常観察画像用メモリ２３０Ａへの書込処理を停止する。画像メモリ２３０の書込動作の切り換えは、タイミングコントローラ２０４からのクロックパルスに同期して行われる。
【００２８】
通常観察画像用メモリ２３０Ａ、特殊光観察画像用メモリ２３０Ｂの各メモリに格納された画像信号は、タイミングコントローラ２０４からのクロックパルスに同期して順次読み出されて、後段信号処理回路２４０に出力される。後段信号処理回路２４０は、画像メモリ２３０より出力された通常観察像及び特殊光観察像の各画像信号並びにシステムコントローラ２０２より出力された観察条件等の情報に基づいてモニタ表示用の画面データを生成し、生成されたモニタ表示用の画面データを所定のビデオフォーマット信号に変換する。変換されたビデオフォーマット信号は、モニタ３００に出力される。これにより、被写体の通常観察画像や特殊観察画像がモニタ３００に表示される。
【００２９】
ユーザは、タッチパネル２１８を操作することにより、観察画像の表示形態を設定することができる。観察画像の表示形態としては、例えば、同一サイズの通常観察画像と特殊観察画像とを並べて一画面に表示させる形態、一方の観察画像を親画面表示し、他方の観察画像を子画面表示する形態、ユーザの操作に従って選択された一方の観察画像を全画面表示させる形態がある。また、表示中の観察画像には、タッチパネル２１８によって入力された内視鏡観察に関する情報（例えば、術者名、患者名、観察日時、観察に使用した照明光の種別等）をスーパーインポーズ表示させることができる。
【００３０】
次に、回転フィルタ部２６０の構成について説明する。図２は、回転フィルタ部２６０を集光レンズ２１０側から見た正面図である。図３は、図２中矢印Ａ方向から回転フィルタ部２６０の付近を視たときの電子内視鏡用プロセッサ２００の内部構成図である。回転フィルタ部２６０は、回転板２６１、ＤＣモータ２６２、ドライバ２６３、スライドアクチュエータ部２６４及びフォトインタラプタ２６５を備えている。
【００３１】
図２に示されるように、回転板２６１には、通常光用スリット部２６１Ａ及び特殊光用フィルタ部２６１Ｂが設けられている。通常光用スリット部２６１Ａは円弧状のスリットであり、ランプ２０８からの白色光束Ｌをそのまま通過させる。特殊光用フィルタ部２６１Ｂは円弧状のスリットにフィルタを貼り付けたものであり、ランプ２０８からの白色光束Ｌを特殊光にフィルタリングする。図２に示されるように、通常光用スリット部２６１Ａと特殊光用フィルタ部２６１Ｂは、径方向の幅が互いに等しい円弧形状を持ち、回転板２６１の回転軸を中心とする同心円上に所定の角度範囲で設けられている。より詳細には、通常光用スリット部２６１Ａは、回転板２６１の回転軸を中心とする所定の基準円弧（スリット幅方向の中点の集合よりなる円弧）が半径ＤＡを持つ。特殊光用フィルタ部２６１Ｂは、回転板２６１の回転軸を中心とする所定の基準円弧（スリット幅方向の中点の集合よりなる円弧）が半径ＤＢを持つ。また、通常光用スリット部２６１Ａは、回転板２６１のほぼ半回転分の角度範囲に亘って形成されている。特殊光用フィルタ部２６１Ｂは、通常光用スリット部２６１Ａと重複しないほぼ半回転分の角度範囲に亘って形成されている。
【００３２】
このように、通常光用スリット部２６１Ａと特殊光用フィルタ部２６１Ｂは、回転板２６１の回転軸を中心とする互いに半径の異なる同心円上に異なる角度範囲で設けられている。
【００３３】
ＤＣモータ２６２は、モータ軸２６２ａが回転板２６１の中心を貫通する軸受穴に圧入されている。ＤＣモータ２６２は、ドライバ２６３の制御下で撮像のタイミングと同期して回転板２６１をモータ軸２６２ａ中心に一定速度で回転させる。回転板２６１が１フィールド期間で半回転することにより、通常光用スリット部２６１Ａと特殊光用フィルタ部２６１Ｂとが１フィールド周期で白色光束Ｌの光路に交互に挿入される。そのため、回転板２６１を通過する光束が１フィールド周期で通常光と特殊光とに交互に切り替わり、被写体が１フィールド周期で通常光と特殊光とにより交互に照射される。これにより、被写体の通常観察画像と特殊光観察画像とが１フィールド周期で交互に得られるようになる。なお、回転板２６１の回転位置や回転の位相は、回転板２６１の外周付近に形成された開口（不図示）をフォトインタラプタ２６５によって検出することにより制御される。
【００３４】
図４は、スライドアクチュエータ部２６４の概略的な構成例である。図４に示されるように、スライドアクチュエータ部２６４は周知の構成を有したものであり、回転板２６１を白色光束Ｌの光路（図４では紙面に対して垂直な方向）と直交する方向（以下、「光路直交方向」と記す。）にスライドさせることができる。スライドアクチュエータ部２６４は、光路直交方向に延びるガイドレール２６４ａを有している。ガイドレール２６４ａには、支持フレーム２６４ｂがガイドレール２６４ａの軸線方向（光路直交方向）にスライド可能に保持されている。支持フレーム２６４ｂにはＤＣモータ２６２が保持されている。また、スライドアクチュエータ部２６４は、ユーザのタッチパネル２１８の操作に従って駆動するステッピングモータ２６４ｃを有している。ステッピングモータ２６４のモータ軸には両端が支持ブラケット２６４ｄにより回転可能に支持されたリードスクリュ２６４ｅが連結している。リードスクリュ２６４ｅには、リードナット２６４ｆがリードスクリュ２６４ｅの回転に伴ってリードスクリュ２６４ｅの軸線方向（ガイドレール２６４ａの軸線方向と平行な方向であって、光路直交方向）に進退可能に保持されている。リードナット２６４ｆと支持フレーム２６４ｂは、アーム２６４ｇを介して連結されている。
【００３５】
ステッピングモータ２６４ｃがユーザの操作に従って駆動すると、リードスクリュ２６４ｅが回転し、リードナット２６４ｆがリードスクリュ２６４ｅの回転に応じて光路直交方向（リードスクリュ２６４ｅの軸線方向）に進退する。アーム２６４ｇを介してリードナット２６４ｆと連結された支持フレーム２６４ｂは、リードナット２６４ｆと共に光路直交方向（ガイドレール２６４ａの軸線方向）にスライドする。これにより、支持フレーム２６４ｂに保持されたＤＣモータ２６２及びＤＣモータ２６２に支持された回転板２６１が光路直交方向に移動する。
【００３６】
スライドアクチュエータ部２６４が回転板２６１を光路直交方向に移動させると、ランプ２０８（白色光束Ｌ）に対する回転板２６１の位置がシフトする。そのため、通常光用スリット部２６１Ａ、特殊光用フィルタ部２６１Ｂの夫々を通過する照明光の光量が変化する。図５（ａ）〜図５（ｄ）は、通常光用スリット部２６１Ａ、特殊光用フィルタ部２６１Ｂの夫々を通過する照明光の光量と、ランプ２０８（白色光束Ｌ）に対する回転板２６１の位置との関係を示す図である。より詳細には、図５（ａ）〜図５（ｃ）は、ランプ２０８（白色光束Ｌ）と回転板２６１との位置関係を示し、図５（ｄ）は、ランプ２０８（白色光束Ｌ）と回転板２６１とが各位置関係にあるときの、通常光用スリット部２６１Ａ、特殊光用フィルタ部２６１Ｂの夫々を通過する照明光の光量比を示す。
【００３７】
回転板２６１は、初期的には図５（ｂ）に示される位置に配置されている。図５に示される初期位置では、通常光用スリット部２６１Ａを通過する通常光と、特殊光用フィルタ部２６１Ｂを通過する特殊光との光量比が実質的に等しい。図５（ａ）又は図５（ｃ）に示されるように、回転板２６１を下方向（矢印ＡＷ１方向）又は上方向（矢印ＡＷ２方向）にシフトさせると、回転板２６１の半径方向において通常光用スリット部２６１Ａと特殊光用フィルタ部２６１Ｂの形成位置が異なることから、回転板２６１を回転させた際に通常光用スリット部２６１Ａ、特殊光用フィルタ部２６１Ｂの夫々に入射する白色光束Ｌの光量面積比が変化する。具体的には、回転板２６１を下方向（矢印ＡＷ１方向）にシフトさせるほど、図５（ｄ）に示されるように、通常光用スリット部２６１Ａを通過する通常光の光量が減少する。一方、特殊光用フィルタ部２６１Ｂを通過する特殊光の光量は一定である。また、回転板２６１を上方向（矢印ＡＷ２方向）にシフトさせるほど、図５（ｄ）に示されるように、特殊光用フィルタ部２６１Ｂを通過する特殊光の光量が減少する。一方、通常光用スリット部２６１Ａを通過する通常光の光量は一定である。
【００３８】
このように、本実施形態では、ユーザは、タッチパネル２１８を操作して回転板２６１をシフトさせることにより、通常光用スリット部２６１Ａを通過する通常光と特殊光用フィルタ部２６１Ｂを通過する特殊光との光量比を調節することができる。ユーザは、適正露出を得るための絞り量が通常光使用時と特殊光使用時とで揃うように光量比の調節操作を行うことにより、通常光と特殊光との光量差を抑えることができる。これにより、通常観察と特殊光観察の露光レベルが大きく変動することが避けられるため、例えば、特殊光を切り換えた直後に撮像した観察画像に白飛びや黒潰れが発生することを防ぐことができる。
【００３９】
以上が本発明の例示的な実施形態の説明である。本発明の実施形態は、上記に説明したものに限定されず、本発明の技術的思想の範囲において様々な変形が可能である。例えば明細書中に例示的に明示される実施形態等又は自明な実施形態等を適宜組み合わせた内容も本願の実施形態に含まれる。例えば、上記実施形態においては、通常観察像と特殊光観察像を１フィールド毎に交互に撮像し、撮像された２つの観察画像を一画面に同時に表示させる構成となっているが、別の実施形態として、通常観察像と特殊光観察像を１フレーム毎に交互に撮像し、撮像された２つの観察画像を一画面に同時に表示させる構成を採用してもよい。
【００４０】
また、上記の実施形態では、光源装置を電子内視鏡用プロセッサ２００に内蔵しているが、別の実施形態では、電子内視鏡用プロセッサ２００と光源装置とを分離した構成としてもよい。この場合、電子内視鏡用プロセッサ２００と光源装置との間でタイミング信号を送受信するための有線又は無線の通信手段が設けられる。
【符号の説明】
【００４１】
１  電子内視鏡装置
１００  電子内視鏡
１０２  ＬＣＢ
１０４  配光レンズ
１０６  対物レンズ
１０８  固体撮像素子
１１２  ドライバ信号処理回路
２００  電子内視鏡用プロセッサ
２０２  システムコントローラ
２０４  タイミングコントローラ
２０６  ランプ電源イグナイタ
２０８  ランプ
２１０  集光レンズ
２２０  前段信号処理回路
２３０  画像メモリ
２３０Ａ  通常観察画像用メモリ
２３０Ｂ  特殊光観察画像用メモリ
２４０  後段信号処理回路
２６０  回転フィルタ部
２６１  回転板
２６１Ａ  通常光用スリット部
２６１Ｂ  特殊光用フィルタ部
２６２  ＤＣモータ
２６３  ドライバ
２６４  スライドアクチュエータ部
２６５  フォトインタラプタ
【図１】
2014212808.tif 000003
【図２】
2014212808.tif 000004
【図３】
2014212808.tif 000005
【図４】
2014212808.tif 000006
【図５】
2014212808.tif 000007